(57)【特許請求の範囲】
【請求項１】
第１の周波数用アンテナ素子と、
第１の周波数と異なる第２の周波数用アンテナ素子と、
第１の周波数用アンテナ素子に接続され、第１の周波数の信号を通過させるが、第２の周波数の信号を遮断する第１のフィルタ手段と、
第２の周波数用アンテナ素子に接続され、第２の周波数の信号を通過させるが、第１の周波数の信号を遮断する第２のフィルタ手段と、
第１及び第２のフィルタ手段と外部接続端子との間に設けられた整合手段とを、
具備し、第１及び第２のフィルタ手段と、前記整合手段とが、同一の基板上にパターンによって形成され、
前記整合手段は、第１及び第２の周波数の間の周波数の１／４波長の長さを持ち、その一端が、パターン線路を介して前記外部接続端子に接続され、他端が、パターンによって形成された２つの部分によって、両側に分けられ、
前記２つの部分の一方の先端が第１の周波数用アンテナ素子に接続され、前記２つの部分の他方の先端が第２の周波数用アンテナ素子に接続され、
前記２つの部分の一方における前記整合手段から予め定めた一定距離離れた位置に第１のフィルタ手段が設けられ、前記２つの部分の他方における前記整合手段から前記一定距離離れた位置に第２のフィルタ手段が設けられている
多周波数用アンテナ。
【請求項２】
請求項１記載の多周波数用アンテナにおいて、第１の周波数用アンテナ素子として、複数のアンテナ素子を設け、これらのうち選択されたものを第１のフィルタ手段に接続する第１の選択手段が設けられている多周波数用アンテナ。
【請求項３】
請求項２記載の多周波数用アンテナにおいて、第１の選択手段が、前記基板上に設けられている多周波数用アンテナ。
【請求項４】
請求項２記載の多周波数用アンテナにおいて、第１の選択手段は、前記外部接続端子に供給された制御信号に基づいて第１の周波数用アンテナとしての複数のアンテナ素子のうち１つを選択する多周波数用アンテナ。
【請求項５】
請求項２記載の多周波数用アンテナにおいて、第２の周波数用アンテナ素子として、複数のアンテナ素子を設け、これらのうち選択されたものを第２のフィルタ手段に接続する第２の選択手段が設けられている多周波数用アンテナ。
【請求項６】
請求項５記載の多周波数用アンテナにおいて、第１及び第２の選択手段が、前記基板上に設けられている多周波数用アンテナ。
【請求項７】
請求項５記載の多周波数用アンテナにおいて、第２の選択手段は、前記制御信号に基づいて第２の周波数用アンテナとしての複数のアンテナ素子のうち１つを選択する多周波数用アンテナ。
【発明の詳細な説明】
【０００１】
本発明は、例えば１つの筐体内に複数のアンテナ素子を設けた１つのアンテナ装置に関する。
【０００２】
【従来の技術】
近年、パーソナルコンピュータが、一般家庭や職場等にかなり普及し、複数台のパーソナルコンピュータを相互に接続するＬＡＮ等の利用も盛んである。ＬＡＮ接続には、配線の煩わしさから逃れるために、無線ＬＡＮが使用されている。無線ＬＡＮでは、２．４ＧＨｚ帯が主に使用されている。しかし、法の規制によって余り広い帯域をとることができず、大きい伝送速度をとることができない。例えば５．２ＧＨｚ帯のような高い周波数帯の使用も考慮されている。２．４ＧＨｚ帯と５．２ＧＨｚ帯の両周波数帯を使用する場合、例えば、図７に示すように、２．４ＧＨｚ帯のアンテナ２と、５．２ＧＨｚ帯のアンテナ４とを、アンテナ切替器６によって切替えて、アクセスポイント８を介してパーソナルコンピュータ１０に接続することが考えられる。これらアンテナ２、４は、別々の筐体内に収容されている。
【０００３】
【発明が解決しようとする課題】
しかし、このような構成では、２つのアンテナ２、４に対する筐体が必要なだけでなく、アンテナ切替器を設けなければならず、構成が複雑になっていた。
【０００４】
本発明は、例えば１つの筐体内に複数のアンテナ素子を収容した１つのアンテナ装置であって、複数の周波数の信号を送受信でき、しかも構成が簡易な多周波数用アンテナを提供することを目的とする。
【０００５】
【課題を解決するための手段】
本発明による多周波数用アンテナは、第１の周波数用アンテナ素子と、第２の周波数用アンテナ素子とを、備えている。第１と第２の周波数とは互いに異なる周波数である。第１の周波数用アンテナは、第１の周波数の電波のみを送受信するものに限ったものではなく、例えば第１の周波数を含む第１の周波数帯域の電波も送受信可能なものとすることもできる。同様に、第２の周波数用アンテナは、第２の周波数を含む第２の周波数帯域の電波を送受信することが可能なものとすることもできる。これらアンテナ素子としては、種々の素子を使用することができるが、パッチアンテナ素子を使用することが小型化の点から望ましい。これらパッチアンテナ素子は１つの筐体内に収容することが望ましい。第１及び第２のアンテナ素子に加えて、第１及び第２のフィルタ手段が設けられている。第１のフィルタ手段は、第１の周波数用アンテナ素子に接続され、第２のフィルタ手段も、第２の周波数用アンテナ素子に接続されている。第１のフィルタ手段は、第１の周波数の信号を通過させるが、第２の周波数の信号を遮断する。第２のフィルタ手段は、第２の周波数の信号を通過させるが、第１の周波数の信号を遮断する。例えば第１の周波数が第２の周波数よりも低いと仮定するなら、第１のフィルタ手段としては、遮断周波数が第１及び第２の周波数の間にあるローパスフィルタを、第２のフィルタ手段として遮断周波数が第１及び第２の周波数の間にあるハイパスフィルタを使用することができる。また、第１のフィルタ手段として、通過帯域に第１の周波数を含む帯域通過フィルタを使用し、第２のフィルタ手段として、通過帯域に第２の周波数を含む帯域通過フィルタを使用することもできるし、第１のフィルタ手段として、遮断帯域に第１の周波数を含まない帯域除去フィルタを使用し、第２のフィルタ手段として、遮断帯域に第２の周波数を含んでいない帯域除去フィルタを使用することもできる。第１及び第２のフィルタ手段と外部接続端子との間に整合手段が設けられている。更に、第１及び第２のフィルタ手段と、整合手段とが、同一の基板上にパターンによって形成されている。整合手段は、第１及び第２の周波数の間の周波数の１／４波長の長さを持ち、その一端が、パターン線路を介して外部接続端子に接続され、他端が、パターンによって形成された２つの部分によって、両側に分けられている。２つの部分の一方の先端が第１の周波数用アンテナ素子に接続され、前記２つの部分の他方の先端が第２の周波数用アンテナ素子に接続されている。２つの部分の一方における整合手段から予め定めた一定距離離れた位置に第１のフィルタ手段が設けられ、２つの部分の他方における整合手段から前記一定距離離れた位置に第２のフィルタ手段が設けられている。即ち、第１及び第２のフィルタ手段は、整合手段からそれぞれ等距離にある。なお、第１及び第２の周波数用のアンテナ素子の他に、他の周波数用のアンテナ素子を設けることもできる。この場合、他の周波数の信号を通過させ、第１及び第２の周波数の信号を遮断させるフィルタ手段を設け、これを介して他の周波数用のアンテナ素子を整合手段に接続することが望ましい。
【０００６】
このように構成された多周波数用アンテナを用いて第１及び第２の周波数の電波を受信する場合、第１の周波数用アンテナで受信された第１の周波数の信号は、第１フィルタ手段、整合手段を介して外部接続端子に供給され、第２の周波数用アンテナで受信された第２の周波数の信号は、第２フィルタ手段、整合手段を介して外部接続端子に供給される。このとき、第１フィルタ手段は第１の周波数の信号を通過させるが、第２の周波数の信号を遮断するので、整合手段から第１の周波数用アンテナに第２の周波数信号が伝送されることは無い。同様に、第２フィルタ手段は、第２の周波数の信号を通過させるが、第１の周波数の信号を遮断するので、整合手段から第２の周波数用アンテナに第１の周波数信号が伝送されることは無い。よって、アンテナ切替器を設けていなくとも、第１及び第２周波数の信号を良好に受信することができる。なお、アンテナ素子には可逆性があるので、第１及び第２の周波数の信号を良好に受信できる限り、これら第１及び第２の周波数の信号を良好に送信することができる。この多周波数用アンテナでは、第１及び第２のフィルタ手段及び整合手段が、同一の基板上に形成されているので、この多周波数用アンテナを小型化することができるし、同時に両方の周波数での送受信が可能である。
【０００７】
第１の周波数用アンテナ素子として複数のアンテナ素子を複数設けることができる。この場合、複数のアンテナ素子のうち、選択されたものを第１のフィルタ手段に接続する第１の選択手段が設けられている。
【０００８】
このように構成すると、第１の選択手段によって選択する第１の周波数用の各アンテナ素子を変更することができ、例えば第１の周波数であって、異なる偏波面を持つ電波をそれぞれ送信または受信することができるし、或いはアンテナダイバシティを実現することもできる。
【０００９】
さらに、第１の選択手段を、前記基板上に設けることもできる。このように構成すると、益々構成を簡略化することができる。
【００１０】
或いは、第１の選択手段を、前記外部接続端子に供給された制御信号に基づいて第１の周波数用アンテナ素子としての複数のアンテナ素子のうち１つを選択するように構成することもできる。制御信号として例えば直流電圧を使用し、この直流電圧の値を変化させたり、この直流電圧を供給または停止したりすることによって、第１の選択手段を切り替えることができる。このように構成すると、遠隔制御が容易になる。
【００１１】
或いは、第２の周波数用アンテナ素子として複数のアンテナ素子を設けることもできる。これら第２の周波数用の各アンテナ素子のうち、選択されたものを第２のフィルタ手段の前記一方のポートに接続する第２の選択手段が設けられている。このように構成すると、第１及び第２の周波数それぞれにおいて、偏波面の切替えやアンテナダイバシティを実現可能である。
【００１２】
更に、第１及び第２の選択手段を、前記基板上に設けることもできる。このように構成すると、第１及び第２のフィルタ手段、整合手段に加えて、第１及び第２の選択手段も、同一の基板上に構成されているので、この多周波数用アンテナを小型化することができる。
【００１３】
或いは、第２の選択手段を、前記制御信号に基づいて第２の周波数用アンテナ素子としての複数のアンテナ素子のうち１つを選択するものとすることもできる。制御信号としては、例えば第１及び第２の切替え手段のうち一方を選択するための制御信号と、選択された切り替え手段において実際にアンテナ素子を選択するための制御信号との２種類の制御信号を使用することができる。このように構成すると、２つの周波数用のアンテナ素子を、所望の条件に従って、それぞれ遠隔制御することができる。
【００１４】
【発明の実施の形態】
本発明の第１の実施の形態の多周波数用アンテナ１２は、図１に示すように、例えば無線ＬＡＮ用の送受信アンテナであって、アクセスポイント１４を介してパーソナルコンピュータ１６に接続されている。
【００１５】
この多周波数用アンテナ１２は、アンテナ部１８を有している。アンテナ部１８は、第１の周波数、例えば２．４ＧＨｚ用のアンテナ素子２０と、第２の周波数、例えば５．２ＧＨｚ用のアンテナ素子２２とを備えている。これらアンテナ素子２０、２２は、例えばパッチアンテナ素子によって構成されている。これらアンテナ素子２０、２２は地板と協働するもので、１つの筐体内に地板が設けられ、この地板の一方の主表面の上方に、これと所定の間隔をおいてアンテナ素子２０、２２が設けられている。地板の他方の主表面側に、基板１７が設けられている。なお、１つの筐体内に設けてある点では代わりがないが、上述したような地板を設けずに、基板１７の一部を地板として使用することもできる。
【００１６】
これらアンテナ素子２０、２２は、基板１７上に設けられた分波・混合部２４に接続されている。この分波・混合部２４は、２つのフィルタ手段、例えばフィルタ２６、２８と整合手段、例えば整合部３０とを備えている。フィルタ２６は、２つのポート２６ａと２６ｂとを有し、一方のポート２６ａがアンテナ素子２０に接続され、他方のポート２６ｂが整合部３０に接続されている。同様に、フィルタ２８は、２つのポート２８ａと２８ｂとを有し、一方のポート２８ａがアンテナ素子２２に接続され、他方のポート２８ｂが整合部３０に接続されている。
【００１７】
フィルタ２６は、２．４ＧＨｚの信号を通過させ、５．２ＧＨｚの信号を遮断するもので、例えば遮断周波数が２．４ＧＨｚと５．２ＧＨｚとの間の周波数に選択されたローパスフィルタに構成されている。或いは、２．４ＧＨｚを通過帯域内に含む帯域通過フィルタ、または除去帯域に２．４ＧＨｚを含まない帯域除去フィルタを使用することもできる。フィルタ２８は、５．２ＧＨｚの信号を通過させ、２．４ＧＨｚの信号を遮断するもので、例えば遮断周波数が２．４ＧＨｚと５．２ＧＨｚとの間の周波数に選択されたハイパスフィルタに構成されている。或いは、５．２ＧＨｚを通過帯域内に含む帯域通過フィルタ、または除去帯域に５．２ＧＨｚを含まない帯域除去フィルタを使用することもできる。
【００１８】
整合部３０は、基板１７上に設けられた外部接続端子３２にインピーダンス整合させて、フィルタ２６、２８を接続するためのものである。
【００１９】
実際には、分波・混合部２４は、図２に示すようにマイクロストリップラインによって構成されている。即ち、整合部３０は、特性インピーダンスＺ０、例えば５０オームの整合線路３４を介して外部接続端子３２に接続されている。整合部３０は、特性インピーダンスＺ０を２の平方根で除算した値、例えば約３５オームの線路幅を有し、更に、第１及び第２の周波数、この実施の形態では２．４ＧＨｚと５．２ＧＨｚとの間の周波数の約１／４波長の最適化された線路長を持っている。この整合部３０は、特性インピーダンスの線路幅を持つ２つの部分３０ａ、３０ｂに分けられている。部分３０ａの先端は、アンテナ素子２０に接続され、部分３０ｂの先端は、アンテナ素子２２に接続されている。
【００２０】
部分３０ａ、３０ｂにおいて、整合部３０から等距離の位置に、フィルタ２６、２８が設けられている。図２では、フィルタ２６は、５．２ＧＨｚの信号を遮断するトラップフィルタに形成され、フィルタ２８は、２．４ＧＨｚの信号を遮断するトラップフィルタに形成されている。
【００２１】
従って、外部接続端子３２からの信号が２．４ＧＨｚの信号であると、２．４ＧＨｚ帯のアンテナ素子２０に伝送され、５．２ＧＨｚの信号であると、５．２ＧＨｚ帯のアンテナ素子２２に伝送される。逆に、アンテナ素子２０において受信された信号は、反対側にあるアンテナ素子２２側には流れず、アンテナ素子２２において受信された信号は、アンテナ素子２０側には流れず、外部接続端子３２にのみ伝送される。
【００２２】
アンテナ素子２０、２２及び外部接続端子３２以外の回路は、基板１７上に例えばエッチング等の作業のみによって形成することができ、何ら特別な部品が不要である。従って、簡単な構成であり、かつ低損失の特性が得られる。
【００２３】
第２の実施の形態の多周波数用アンテナ１２ａを図３、図４及び図５に示す。この実施の形態の多周波数用アンテナは、第１の周波数用アンテナである２．４ＧＨｚのアンテナ素子が複数、例えば２基設けられている。即ち、アンテナ部１８ａは、２基の２．４ＧＨｚのアンテナ素子２０ａ、２０ｂを有している。これらアンテナ素子２０ａ、２０ｂは、第１の実施形態の多周波数用アンテナ１２におけるアンテナ素子２０と同様にパッチアンテナ素子である。アンテナ素子２０ａは垂直偏波用のものであり、アンテナ素子２０ｂは水平偏波用のものである。
【００２４】
アンテナ素子２０ａ、２０ｂは、第１の選択手段、例えば偏波切換回路３４を介してフィルタ２６のポート２６ａに接続されている。この偏波切換回路３４も基板１７上に設けられている。他の構成は、第１の実施形態の多周波数用アンテナ１２と同様であるので、同等部分には同一符号を付して、その説明を省略する。
【００２５】
偏波切換回路３４は、外部接続端子３２に制御信号、例えば直流電圧が供給されているか否かによってアンテナ素子２０ａ、２０ｂの一方をフィルタ２６のポート２６ａに接続する。
【００２６】
図４に、偏波切換回路３４の回路図を示す。外部接続端子３２に外部から直流電圧が供給されていると、この直流電圧は、整合部３０及びフィルタ２６を介して、偏波切換回路３４のストリップ線路３８に供給される。
【００２７】
このストリップ線路３８の電圧に基づいて、スイッチング手段、例えばＰＩＮダイオード４０、インダクタンス４２、抵抗器４４に電流が流れ、ＰＩＮダイオード４０が導通する。その結果、アンテナ素子２０ａに接続されているストリップ線路４６がコンデンサ４８を介してストリップ線路３８と接続され、アンテナ素子２０ａからの垂直偏波の信号が、ストリップ線路４６、コンデンサ４８、ストリップ線路３８を経てフィルタ２６に供給される。
【００２８】
ストリップ線路３８の電圧によって、抵抗器５０、ストリップ線路５２、スイッチング手段、例えばＰＩＮダイオード５４に電流が流れる。これによって、ＰＩＮダイオード５４が導通し、アンテナ素子２０ｂに接続されているストリップ線路５８がコンデンサ６０、ＰＩＮダイオード５４を介して接地される。その結果、アンテナ素子２０ｂからの水平偏波の信号は、ストリップ線路５２、３８には伝送されないので、フィルタ２６にも伝送されない。即ち、アンテナ素子２０ａからの垂直偏波の信号のみがフィルタ２６に伝送される。なお、外部接続端子３２に２．４ＧＨｚの信号が供給された場合、この信号は、同様にしてアンテナ素子２０ａにのみ伝送される。
【００２９】
一方、外部接続端子３２に直流電圧が供給されていないとき、２つのＰＩＮダイオード４０、５４は、共に非導通状態である。従って、ストリップ線路４６、３８は非接続状態であり、アンテナ素子２０ａからの垂直偏波の信号は、ストリップ線路３８には伝送されない。しかし、ストリップ線路５８は、コンデンサ６０によってストリップ線路５２に接続され、このストリップ線路５２はコンデンサ６２を介してストリップ線路３８に接続されているので、アンテナ素子２０ｂからの水平偏波の信号は、ストリップ線路５８、コンデンサ６０、ストリップ線路５２、コンデンサ６２及びストリップ線路３８を介してフィルタ２６に供給される。即ち、外部接続端子３２に直流電圧が供給されていない状態では、アンテナ素子２０ｂからの水平偏波の信号のみがフィルタ２６に供給される。外部接続端子３２に２．４ＧＨｚの信号が供給された場合でも、同様にしてアンテナ素子２０ｂにのみ伝送される。なお、図４において、符号６４で示すのはバイパスコンデンサである。
【００３０】
図５に、この偏波切換回路３４のパターン図を示す。このパターン図において、符号６６、６８、７０で示すのは接地電位面である。ストリップ線路３８と、ストリップ線路５２とは、接地電位面６６、６８間に形成されている。ストリップ線路４６は、接地電位面６６、７０間に形成されている。ストリップ線路４６とストリップ線路３８との間に、インダクタンス４２のパッド４２ａが形成されている。また、接地電位面６８、７０間にストリップ線路５８が形成されている。
【００３１】
パッド４２ａとストリップ線路４６との間にコンデンサ４８が接続され、パッド４２ａとストリップ線路３８との間にＰＩＮダイオード４０が接続されている。インダクタンス４２の先端部４２ｂと接地電位面７０との間に抵抗器４４とコンデンサ６４との並列回路が接続されている。ストリップ線路３８、５２の間に抵抗器５０とコンデンサ６２との並列回路が接続され、ストリップ線路５２と接地電位面６８との間にＰＩＮダイオード５４が接続され、ストリップ線路５２、５８の間にコンデンサ６０が接続されている。
【００３２】
この多周波数用アンテナ１２ａでは、アンテナ素子２０ａ、２０ｂのうち所望の偏波用のものを選択して、フィルタ２６に接続することができる。この偏波切換回路３４では、ストリップ線路４６、３８間に直列にダイオード４０を接続し、ストリップ線路５８、５２を接続し、その接続点と接地電位との間にダイオード５４を接続し、これらＰＩＮダイオード４０、５４を同時に導通または非導通状態として、ストリップ線路４６または５８を伝送されるアンテナ素子２０ａまたは２０ｂの信号の一方を、ストリップ線路３８に伝送している。
【００３３】
ストリップ線路５８、５２間にも直列にＰＩＮダイオード５４を接続する構成も考えられる。しかし、この構成では、ＰＩＮダイオード４０、５４のいずれを導通させるかによって、外部接続端子３２に供給する直流電圧の値を変化させ、いずれの電圧が供給されているかを判定する比較回路等が必要になり、回路構成が複雑になる。
【００３４】
第３の実施の形態の多周波数用アンテナ１２ｂを図６に示す。この多周波数用アンテナ１２ｂでは、第１周波数用のアンテナだけでなく、第２の周波数用のアンテナも、複数、例えば２基設けられている。即ち、アンテナ部１８ｂは、２基の２．４ＧＨｚのアンテナ素子２２ａ、２２ｂも有している。これらアンテナ素子２２ａ、２２ｂは、第１の実施形態の多周波数用アンテナ１２におけるアンテナ素子２２と同様にパッチアンテナ素子である。アンテナ素子２２ａは垂直偏波用のものであり、アンテナ素子２２ｂは水平偏波用のものである。アンテナ素子２０ａ、２０ｂは、第２の実施の形態のアンテナ素子２０ａ、２０ｂと同一のものである。
【００３５】
これらアンテナ素子２２ａ、２２ｂは、第２の選択手段、例えば偏波切換回路３４ｂを介してフィルタ２８に接続されている。偏波切換回路３４ｂは、アンテナ素子２０ａ、２０ｂをフィルタ２６に接続している第１の選択手段、例えば偏波切換回路３４ａと共に、第２の実施の形態の多周波数用アンテナ１２ａにおける偏波切換回路３４と同一の構成である。これら偏波切換回路３４ａ、３４ｂは、基板１７上に設けられている。
【００３６】
従って、外部接続端子３２に直流電圧が供給されたとき、アンテナ素子２０ａが偏波切換回路３４ａによって選択されて、フィルタ２６に接続されると共に、アンテナ素子２２ａが偏波切換回路３４ｂによって選択されて、フィルタ２８に接続される。外部接続端子３２に直流電圧が非供給のとき、アンテナ素子２０ｂが偏波切換回路３４ａによって選択されて、フィルタ２６に接続されると共に、アンテナ素子２２ｂが偏波切換回路３４ｂによって選択されて、フィルタ２８に供給される。即ち、アンテナ素子２０ａ、２２ａが連動して選択され、アンテナ素子２０ｂ、２２ｂが連動して選択される。従って、アンテナ素子２０ａ、２０ｂのうち所望のものからの信号と、アンテナ素子２２ａ、２２ｂのうち所望のものからの信号とを、同時に伝送することができる。
【００３７】
例えば基板１７上に電圧比較回路と、パルス検出回路とを設け、外部接続端子３２に、直流電圧とパルス信号との組み合わせからなる制御信号を供給すれば、各アンテナ素子２０ａ、２０ｂ、２２ａ、２２ｂのうち所望の１つを選択することも可能である。例えば直流電圧の値を３Ｖとして、これにパルス信号を重畳していないとき、アンテナ素子２０ａが選択されるように構成し、直流電圧の値が６Ｖで、これにパルス信号が重畳されていないとき、アンテナ素子２０ｂが選択されるように構成し、直流電圧の値が３Ｖで、これにパルス信号が重畳されているとき、アンテナ素子２２ａが選択されるように構成し、直流電圧の値が６Ｖで、これにパルス信号が重畳されているとき、アンテナ素子２２ｂが選択されるように構成することができる。
【００３８】
上記の各実施の形態では、アンテナ素子に、２．４ＧＨｚ帯、５．２ＧＨｚ帯の電波を送受信するためのものを使用したが、これに限ったものではなく、他の周波数帯の電波を送受信するためのものを使用してもよい。更に、上記の各実施の形態では、２つの異なる周波数用のアンテナ素子を設けたが、さらに多くの異なる周波数用のアンテナ素子を設けることもできる。また、第２及び第３の実施の形態では、偏波切換回路３４、３４ａ、３４ｂを基板１７上に設けたが、アンテナ素子側に設けることもできる。
【００３９】
【発明の効果】
以上のように、本発明によれば、１つの筐体内に複数のアンテナ素子を収容したアンテナ装置で複数の周波数の信号を送受信でき、１つの基板上に主要構成部品が設けられているので、構成が簡易である。
【図面の簡単な説明】
【図１】本発明の第１の実施形態の多周波数用アンテナのブロック図である。
【図２】図１の多周波数用アンテナの分波・混合部のパターン図である。
【図３】本発明の第２の実施形態の多周波数用アンテナのブロック図である。
【図４】図３の多周波数用アンテナの偏波切換回路の回路図である。
【図５】図４の偏波切換回路のパターン図である。
【図６】本発明の第３の実施形態の多周波数用アンテナのブロック図である。
【図７】従来の多周波数用アンテナのブロック図である。
【符号の説明】
１７  基板
２０  アンテナ素子（第１の周波数用アンテナ素子）
２２  アンテナ素子（第２の周波数用アンテナ素子）
２６  フィルタ（第１フィルタ手段）
２８  フィルタ（第２フィルタ手段）
３０  整合部（整合手段）
３４  偏波切換回路（第１の選択手段）
３４ａ  偏波切換回路（第１の選択手段）
３４ｂ  偏波切換回路（第２の選択手段）
【図１】
0004014924.tif 000002
【図２】
0004014924.tif 000003
【図３】
0004014924.tif 000004
【図４】
0004014924.tif 000005
【図５】
0004014924.tif 000006
【図６】
0004014924.tif 000007
【図７】
0004014924.tif 000008